(57)【要約】【課題】  可撓性フィルム又はシートからなり、内容物を収容したパウチ本体の開口部にスパウトが一体に取着されたスパウト付きパウチ容器において、前記スパウトに吐出機能と閉栓機能以外の新規な使用形態を提案するための新機能を持たせ、例えば収納、陳列を容易にしたり、使用目的に応じて使い勝手を良くしたりすることが可能である、新コンセプトのスパウト付きパウチ容器を提供する。【解決手段】  スパウト２は、パウチ本体１への固着部６を有し、中央部に流路を有するノズル部４と、ノズル部４の先端に破断部分となる分割溝７を介して一体形成したキャップ部５を備え、ノズル部４又はキャップ部５の何れか一方に付加機能部分８を設けた。付加機能部分８としては、吊支手段１０、ブラシ、マドラー、櫛歯、洗浄容器等がある。【選択図】        図１
2007084093.tif 000002
【特許請求の範囲】
【請求項１】
可撓性フィルムまたはシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記ノズル部又はキャップ部の何れか一方に吊支手段を設けたことを特徴とするスパウト付きパウチ容器。
【請求項２】
前記吊支手段が、前記ノズル部の側方から上方へ延設したフックである請求項１記載のスパウト付きパウチ容器。
【請求項３】
前記吊支手段が、前記キャップ部に形成した吊支孔である請求項１記載のスパウト付きパウチ容器。
【請求項４】
前記ノズル部の吐出口を偏平形状としてなる請求項１〜３何れかに記載のスパウト付きパウチ容器。
【請求項５】
可撓性フィルムまたはシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部にブラシを設けたことを特徴とするスパウト付きパウチ容器。
【請求項６】
前記キャップ部には、前記ノズル部から破断分離した後に、１８０度反転させてノズル部に嵌合した際に、吐出口に嵌入して塞ぐ閉栓部を一体形成してなる請求項５記載のスパウト付きパウチ容器。
【請求項７】
可撓性フィルムまたはシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部に棒状部を設けたことを特徴とするスパウト付きパウチ容器。
【請求項８】
前記棒状部は、前記キャップ部をノズル部から破断分離する前の状態において、該ノズル部の反対方向に延長してパウチ本体の外部に位置し、あるいは該ノズル部の吐出口を通してパウチ本体の内部に位置してなる請求項７記載のスパウト付きパウチ容器。
【請求項９】
可撓性フィルムまたはシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記ノズル部に複数の櫛歯を列設するとともに、各櫛歯の間の空間部に吐出口となる分割溝を設けたことを特徴とするスパウト付きパウチ容器。
【請求項１０】
前記キャップ部には、前記ノズル部から破断分離した後に、１８０度反転させてノズル部に嵌合した際に、各吐出口に嵌入して塞ぐ複数本の閉栓部を一体形成してなる請求項９記載のスパウト付きパウチ容器。
【請求項１１】
可撓性フィルムまたはシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部に洗浄容器を設けたことを特徴とするスパウト付きパウチ容器。
【請求項１２】
前記キャップ部は、キャップ本体と該本体に嵌合する一体若しくは別体の蓋とからなり、前記キャップ本体にはノズル部の先端に外嵌する接続部と、該接続部に連通した液溜空間と、側面の嵌合部に前記蓋を嵌着して洗浄空間を形成するとともに、前記液溜空間に小孔にて連通する凹部とを有し、前記蓋は前記キャップ本体の嵌合部に密閉状態で着脱可能に嵌合するものであり、前記キャップ本体と蓋とで前記洗浄容器を形成してなる請求項１１記載のスパウト付きパウチ容器。
【請求項１３】
前記キャップ部のキャップ本体は、前記接続部と液溜空間を中心とした対称形であり、両側面に前記嵌合部と凹部と形成し、それぞれ前記蓋を嵌着して一対の洗浄空間を形成するものである請求項１２記載のスパウト付きパウチ容器。
【発明の詳細な説明】
【技術分野】
【０００１】
本発明は、スパウト付きパウチ容器に関し、更に詳しくは、熱融着可能な可撓性フィルム又はシートからなり、内容物を充填、密封したパウチ本体の開口部にスパウトが一体に取着されたスパウト付きパウチ容器に関するものである。
【背景技術】
【０００２】
従来、流動性を有する収容物をチューブ状又は袋状のパウチ本体に充填、密封するための容器としては、熱シール性の、実質的に可撓性の、ラミネート又は同時押出フィルムからなる複合フィルムにより形成されたパウチ本体と、該本体の開口部に熱溶着するスパウトとからなり、該スパウトはパウチ本体への固着部から延び、中央部に流路を有するノズル部と、該ノズル部の先端に破断部分となる分割溝を介して一体形成したキャップ部を備え、更にキャップ部にはノズル部から破断分離した後に、１８０度反転させてノズル部に嵌合した際に、吐出口に嵌入して塞ぐ閉栓部を一体形成した構造の再封可能なスパウト付きパウチ容器が提案されている（例えば、特許文献１参照。）。
【０００３】
また、特許文献２には、プラスチックフイルムをヒートシールして形成された包装袋本体と、袋本体の開口部に固着されるスパウトからなるスパウト付パウチにおいて、スパウトに袋内部に延在する可とう性で袋本体とともに変形可能な延在部を設けたスパウト付パウチが開示されている。前記延在部を設けることによって、内容物を充填後袋を落下させたり、袋を積み重ねて保管する際に、袋が傷ついたり破損するのを防止することができるとともに、内容物を最後まで容易に取り出すことができるのである。
【０００４】
一方、特許文献３には、最内層がシーラントでなる２枚の胴壁シートの内面で周縁がシールされ、下縁シール部の一コーナーに軟質合成樹脂製の導入管が接続嵌合されるスパウトを有するスパウト付パウチにおいて、上縁シール部の下部に、該上縁シール部と略平行に連続もしくは不連続のハーフカット溝を設け、該ハーフカット溝の下部で、前記スパウトと対角位置の一側縁シール部近傍に、その周縁がシールされている吊下げ用孔が穿設されているスパウト付パウチが提案されている。更に、パウチの周縁シール部の一部を引き裂いて吊下げ部を形成するものもある。
【特許文献１】特開平５−１６２７５６号公報（請求項１、図１、図２）
【特許文献２】特開平１１−５９７０２号公報（請求項１、図１、図５）
【特許文献３】特開２００１−２７８２８９号公報（請求項１、図１、図８）
【発明の開示】
【発明が解決しようとする課題】
【０００５】
しかし、従来のスパウト付きパウチ容器は、キャップ部をノズル部から切断分離することにより、ノズル部に吐出口が出現し、パウチ本体に収容されていた内容物をノズル部から吐出するといった吐出機能と、内容物が一回の使用で使い切りでない場合には、分離したキャップ部に設けた閉栓部を前記ノズル部の吐出口に嵌入することにより閉塞するといった閉栓機能といったスパウト本来の機能のみを備えるものが一般的である。ここで、特許文献２のように、スパウトにパウチ容器の破損防止機能、内容物の取り出し案内機能を備えたものも提供されているが、パウチ容器の性能の向上を図るものであり、スパウト付きパウチ容器の新規な使用形態を提案するための機能ではない。また、スパウト付きパウチ容器を吊下げる場合の吊下げ機能は、特許文献３に示されているようにパウチ本体の周縁部に設けることが一般的であった。
【０００６】
そこで、本発明が前述の状況に鑑み、解決しようとするところは、可撓性フィルム又はシートからなり、内容物を収容したパウチ本体の開口部にスパウトが一体に取着されたスパウト付きパウチ容器において、前記スパウトに吐出機能と閉栓機能以外の新規な使用形態を提案するための新機能を持たせ、例えば収納、陳列を容易にしたり、使用目的に応じて使い勝手を良くしたりすることが可能である、新コンセプトのスパウト付きパウチ容器を提供する点にある。
【課題を解決するための手段】
【０００７】
前述の課題解決のために、以下のように第１発明〜第５発明を構成した。
【０００８】
第１発明は、可撓性フィルム又はシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記ノズル部又はキャップ部の何れか一方に吊支手段を設けたスパウト付きパウチ容器を構成した（請求項１）。
【０００９】
ここで、前記吊支手段が、前記ノズル部の側方から上方へ延設したフックであること（請求項２）、あるいは前記吊支手段が、前記キャップ部に形成した吊支孔であること（請求項３）が好ましい。更に、前記ノズル部の吐出口を偏平形状としてなることも好ましい（請求項４）。
【００１０】
また、第２発明は、可撓性フィルム又はシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部にブラシを設けたスパウト付きパウチ容器を構成した（請求項５）。
【００１１】
ここで、前記キャップ部には、前記ノズル部から破断分離した後に、１８０度反転させてノズル部に嵌合した際に、吐出口に嵌入して塞ぐ閉栓部を一体形成してなることが好ましい（請求項６）。
【００１２】
また、第３発明は、可撓性フィルム又はシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部に棒状部を設けたスパウト付きパウチ容器を構成した（請求項７）。
【００１３】
ここで、前記棒状部は、前記キャップ部をノズル部から破断分離する前の状態において、該ノズル部の反対方向に延長してパウチ本体の外部に位置し、あるいは該ノズル部の吐出口を通してパウチ本体の内部に位置してなることが好ましい（請求項８）。
【００１４】
また、第４発明は、可撓性フィルム又はシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記ノズル部に複数の櫛歯を列設するとともに、各櫛歯の間の空間部に吐出口となる分割溝を設けたスパウト付きパウチ容器を構成した（請求項９）。
【００１５】
ここで、前記キャップ部には、前記ノズル部から破断分離した後に、１８０度反転させてノズル部に嵌合した際に、各吐出口に嵌入して塞ぐ複数本の閉栓部を一体形成してなることが好ましい（請求項１０）。
【００１６】
そして、第５発明は、可撓性フィルム又はシートからなり、内容物を収容したパウチ本体の開口部にスパウトが一体に取着されたスパウト付きパウチ容器であって、前記スパウトは、パウチ本体への固着部を有するとともに、中央部に流路を有するノズル部と、該ノズル部の先端に破断部分となる分割溝を介して一体形成したキャップ部を備え、前記キャップ部に洗浄容器を設けたスパウト付きパウチ容器を構成した（請求項１１）。
【００１７】
ここで、前記キャップ部は、キャップ本体と該本体に嵌合する一体若しくは別体の蓋とからなり、前記キャップ本体にはノズル部の先端に外嵌する接続部と、該接続部に連通した液溜空間と、側面の嵌合部に前記蓋を嵌着して洗浄空間を形成するとともに、前記液溜空間に小孔にて連通する凹部とを有し、前記蓋は前記キャップ本体の嵌合部に密閉状態で着脱可能に嵌合するものであり、前記キャップ本体と蓋とで前記洗浄容器を形成している（請求項１２）。更に、前記キャップ部のキャップ本体は、前記接続部と液溜空間を中心とした対称形であり、両側面に前記嵌合部と凹部と形成し、それぞれ前記蓋を嵌着して一対の洗浄空間を形成するものであるとより好ましい（請求項１３）。
【発明の効果】
【００１８】
請求項１によれば、吊支手段を用いて陳列棚の係止棒等に掛けて陳列することができ、また保管する場合にも吊下げることにより省スペース化が図れるのである。また、芳香剤の容器に本発明を適用すれば、置き場所のないところでも使用することができ、例えば机の下やロッカーの中などに吊るして使用することができ、使用シーンが多様化する。
【００１９】
請求項２によれば、キャップ部がフックによって保護されており、不意に落としても直接キャップ部に衝撃が加わることがなく、従って不用意に分割溝に亀裂が生じ、内容物が漏れ出すことがないのである。
【００２０】
請求項３によれば、キャップ部に吊支孔を形成するだけであるので、構造が簡単であり、成形も容易である。
【００２１】
請求項４によれば、粘稠性の内容物を広い面積に薄く塗布するのに適している。
【００２２】
請求項５によれば、ノズル部から内容物をキャップ部のブラシに塗布し、内容物の種類に応じてブラシを目的箇所に擦り付け、内容物を付着させたり、広げたりすることができる。例えば、内容物がヘアカラーである場合には、ブラシを頭髪に擦り付け、また内容物が医薬品である場合にはブラシに付着させた医薬品を患部に塗布することができるのである。
【００２３】
請求項６によれば、キャップ部をノズル部の先端部に嵌合して、閉栓部を吐出口に嵌入してノズル部を閉栓することができ、またパウチ本体を持ってブラシを所望箇所に擦り付けることができるので、作業性に優れている。
【００２４】
請求項７によれば、キャップ部を分断してノズル部からカップに内容物を吐出した後、該キャップ部を持って棒状部をマドラーとして利用して内容物を掻き混ぜることができ、例えば内容物としてフレッシュとすればコーヒーカップ等に注ぎ込んだフレッシュを掻き混ぜることができるのである。
【００２５】
請求項８によれば、棒状部は、キャップ部をノズル部から破断分離する前の状態において、該ノズル部の反対方向に延長してパウチ本体の外部に位置していると、構造的に成形が容易であり、しかも棒状部を利用してパウチ容器を吊るすことも可能である。また、棒状部は、キャップ部をノズル部から破断分離する前の状態において、該ノズル部の吐出口を通してパウチ本体の内部に位置していると、棒状部が突出しないので嵩張らないとともに、使用する直前までパウチ本体内に収容されているので清潔である。
【００２６】
請求項９によれば、キャップ部を分断した後、吐出口から例えばヘアカラー等の内容物を吐出しながら、櫛歯を頭髪に漉き込み、内容物を頭髪に満遍なく塗布することができるのである。
【００２７】
請求項１０によれば、複数の吐出口を同時に閉栓することができる。
【００２８】
請求項１１によれば、キャップ部に洗浄容器を設けたので、ノズル部からキャップ部を分断した後、パウチ本体から洗浄液を洗浄容器内に注入してコンタクトレンズや指輪等の小物を洗浄することができる。
【００２９】
請求項１２によれば、キャップ部の蓋を外してそれぞれの洗浄空間にコンタクトレンズや指輪等の小物を入れて蓋を閉じ、ノズル部から分断したキャップ部の接続部をノズル部に密嵌し、パウチ本体から洗浄液を液溜空間に吐出すると、洗浄液は小孔を通過して洗浄空間に注入され、コンタクトレンズや指輪等の小物が浸されるので、所定時間放置することで洗浄することができ、この作業において洗浄液がこぼれ落ちることもなく、清潔な状態で洗浄処理できるのである。
【００３０】
請求項１３によれば、一対の洗浄空間が形成されるので、各空間に左右のコンタクトレンズをそれぞれ収容して同時に洗浄することができる。
【発明を実施するための最良の形態】
【００３１】
次に、添付図面に示した実施形態に基づき、本発明を更に詳細に説明する。図１は、本発明に係るスパウト付きパウチ容器の実施形態を示し、図中符号１はパウチ本体、２はスパウト、３はシート、４はノズル部、５はキャップ部、６は固着部、７は分割溝、８は付加機能部分をそれぞれ示している。尚、図１〜図３は第１発明、図４は第２発明、図５及び図６は第３発明、図７は第４発明、図８は第５発明をそれぞれ示している。
【００３２】
そして、本発明に係るスパウト付きパウチ容器は、可撓性を有するフィルム又はシート３からなるパウチ本体１の開口部から内容物を充填若しくは注入するとともに、該パウチ本体１の開口部に、合成樹脂で成形したスパウト２を取着したものである。即ち、本発明のスパウト付きパウチ容器のパウチ本体１は、可撓性を有するフィルム又はシート３を２つ折りにして重ね合わせ、その周縁部を互いに接着して構成するか、又は、可撓性を有する２枚のフィルム又はシート３，３を重ね合わせ、その周縁部を接着して構成されている。また、前記スパウト２は、パウチ本体１への固着部６を有するとともに、中央部に流路を有するノズル部４と、該ノズル部４の先端に破断部分となる分割溝７を介して一体形成したキャップ部５を備え、前記ノズル部４又はキャップ部５の何れか一方に付加機能部分８を設けたものである。
【００３３】
前記パウチ本体１は、少なくとも内面が熱可塑性材料で構成された可撓性を有するフィルム又はシートから構成されていると、熱シールにより容易に袋状又はチューブ状に形成できるので好ましい。前記パウチ本体１は、熱可塑性樹脂フィルムを積層したフィルム又はシートからなることがより好ましく、更に熱可塑性樹脂フィルムと、例えばアルミニウムフィルムなどの金属フィルムからなる複合積層フィルム又はシートからなることが、ガスバリアー性の点で好ましい。
【００３４】
前記パウチ本体１を形成するフィルム又はシートとしては、可撓性を有するとともに、少なくとも前記内面が熱融着性材料、例えば熱可塑性樹脂フィルムで構成されたもので、例えば、ラミネート複合フィルム、同時押し出しフィルムなどが使用される。前記熱可塑性フィルムの熱可塑性樹脂としては、例えば、ポリエチレン（ＰＥ）、低密度ポリエチレン（ＬＤＰＥ）などが挙げられるが、これらに限定されるものではない。尚、フィルム又はシートを二つ折りして折り畳んだウェブを、接着剤によりその両側を接着し、あるいは２枚のフィルム又はシートを重ね合せたウェブを、接着剤によりその両側と下側の３方を接着してパウチ本体１を構成する場合には、前記フィルム又はシートは、可撓性を有するものであれば、必ずしも熱融着性を有する必要はない。更に、前記パウチ本体１を形成するフィルム又はシートとしては、金属フィルム、例えばアルミニウムフィルムをラミネートしたり、又は金属を蒸着してなる複合フィルム又はシートなど、ガスバリアー性を有するものを用いると、例えば、化粧品、歯磨きその他、香料などの揮発性成分を含む収容物の包装体として好適である。更に、フィルム又はシートの表面が、ポリエチレンテレフタレート系樹脂で構成されている場合には、表面の印刷性がよく、パウチ本体１の表面に商標や商品説明などの印刷を施す場合に好適である。
【００３５】
また、前記パウチ本体１に取着されるスパウト２としては、パウチ本体１に取着されるノズル部４と、前記ノズル部４に分割可能に一体成形され、前記ノズル部４から分割した際に前記ノズル部４に形成された吐出口の上端が開口するように設けられたキャップ部５とで構成された、再封可能なものを用いることが好ましい。前記スパウト２は、パウチ本体１に取着されるノズル部４の下部に、パウチ本体１を構成する可撓性を有する２枚のフィルム又はシート３，３間に形成される開口部の内面に接着される固着部６を備えており、該固着部６には先端が尖ったフランジ片９，９を形成し、前記パウチ本体１との機密性を良くしている。本発明のスパウト付きパウチ容器に用いられる前記のようなスパウト２は、熱可塑性樹脂からなるものを用いることが、パウチ本体１への熱シールが可能であることから好ましい。
【００３６】
次に、図１及び図２に基づいて第１発明を説明する。第１発明のスパウト付きパウチ容器は、可撓性フィルム又はシートからなり、内容物を収容したパウチ本体１の開口部にスパウト２が一体に取着されたスパウト付きパウチ容器であって、前記スパウト２は、パウチ本体１への固着部６を有するとともに、中央部に流路を有するノズル部４と、該ノズル部４の先端に破断部分となる分割溝７を介して一体形成したキャップ部５を備え、前記ノズル部４又はキャップ部５の何れか一方に付加機能部分８として吊支手段１０を設けたものである。
【００３７】
具体的には、前記吊支手段１０が、前記ノズル部４の側方から上方へ延設したフック１１である。前記フック１１は、前記スパウト２のノズル部４の一側部から上方へ延び、その先端が湾曲して曲がった倒Ｊ字形のものであり、当該スパウト２に一体成形されている。このように、前記スパウト２にフック１１を設けていると、該フック１１を陳列棚の係止棒等に掛けて陳列することができ、また保管する場合にも吊下げることにより省スペース化が図れるのである。また、従来は据え置きタイプが主流であった用途、例えば芳香剤の容器に本発明を適用すれば、置き場所のない場合でも、机の下やロッカーの中などに吊るして使用することができる。
【００３８】
更に、前記ノズル部４の吐出口１２を偏平形状とすることにより、粘稠性の内容物を広い面積に薄く塗布するのに適している。具体的には、ジャムを食パンに塗布するのに好適である。また、前記キャップ部５には、前記ノズル部４から破断分離した後に、１８０度反転させてノズル部４に嵌合した際に、吐出口１２に嵌入して塞ぐ閉栓部１３を一体形成してなることも好ましい。ここで、前記パウチ本体１の形状は矩形状であり、その短辺側の一方に前記スパウト２を取着している。
【００３９】
図２（ａ）は、キャップ部５をノズル部４から分断する前の状態を示し、この状態で前記フック１１を陳列棚の係止棒等に掛けて陳列する。この場合、前記キャップ部５は、前記フック１１によって保護されており、不意に落としても直接キャップ部５に衝撃が加わることがなく、従って不用意に分割溝７に亀裂が生じ、内容物が漏れ出すことがないのである。尚、前記ノズル部４に設けた前記フック１１は、ノズル部４から内容物を吐出して使用する際に邪魔になることも懸念されるが、その場合にはフック１１を前記ノズル部４から分断できるようにすれば解決する。更に、前記フック１１は、キャップ部５に一体的に設けることも可能であり、この場合にはキャップ部５をノズル部４から分断するとフック１１もノズル部４から取り除かれるので、内容物の塗布作業に全く支障がないのである。
【００４０】
図３は、第１発明の変形例を示し、前記吊支手段１０が、前記キャップ部５に形成した吊支孔１４であるスパウト付きパウチ容器を示している。この場合、前記パウチ本体１の形状は略円形状であり、また内容物が少量であるので、使い切りの用途に適しており、そのため再使用を前提とした前述の閉栓部１３は設けてない。その他の構成は、前記同様であるので、同一構成には同一符号を付してその説明は省略する。
【００４１】
第２発明のスパウト付きパウチ容器は、図４に示すように、可撓性フィルム又はシート３，３からなり、内容物を収容したパウチ本体１の開口部にスパウト２が一体に取着されたスパウト付きパウチ容器であって、前記スパウト２は、パウチ本体１への固着部６を有するとともに、中央部に流路を有するノズル部４と、該ノズル部４の先端に破断部分となる分割溝７を介して一体形成したキャップ部５を備え、前記キャップ部５に付加機能部分８としてブラシ１５を設けたものである。
【００４２】
そして、前記キャップ部５には、前記ノズル部４から破断分離した後に、１８０度反転させてノズル部４に嵌合した際に、吐出口１２に嵌入して塞ぐ閉栓部１３を一体形成している。更に詳しくは、前記スパウト２のキャップ部５には、該キャップ部５を前記ノズル部４から分割して該ノズル部４に取付けたときに、ノズル部４に形成された前記吐出口１２内に嵌入されて該吐出口１２を閉鎖するピン状の閉栓部１３が形成され、またその周囲に前記ノズル部４の先端部を嵌合する嵌合溝１３Ａが形成されると、再封状態における密封性が向上するので好ましい。更に、前記ノズル部４及び閉栓部１３は、その先端に向かって先細り状に形成されていることが前記密封性の点でより好ましい。
【００４３】
前記キャップ部５にブラシ１５を形成する方法は、歯ブラシを製造する公知の方法を採用することができる。具体的には、前記キャップ部５の側面に形成した複数の下穴に、毛束のアンカー部を埋め込む方法で植毛される。本実施形態では、前記キャップ部５の両側に一列に植毛してブラシ１５，１５を設けている。尚、前記ブラシ１５は、櫛のようにキャップ部５と一体成形することも可能である。そして、前記スパウト２のノズル部４からキャップ部５を分断し（図４（ｂ）参照）、それからノズル部４から内容物をキャップ部５のブラシ１５に塗布した後、前記キャップ部５を前記ノズル部４の先端部に嵌合して、閉栓部１３を吐出口１２に嵌入する（図４（ｃ）参照）。この状態で、内容物の種類に応じてブラシ１５を目的箇所に擦り付け、内容物を付着させたり、広げたりするのである。例えば、内容物がヘアカラーである場合には、ブラシ１５を頭髪に擦り付けるのである。また、内容物が医薬品である場合もあり、その場合にはブラシ１５に付着させた医薬品を患部に塗布するのである。また、本実施形態は、日用品でシミ取りのように、液体塗布後に、シミをかきとるような用途もある。
【００４４】
第３発明のスパウト付きパウチ容器は、図５に示すように、可撓性フィルム又はシート３，３からなり、内容物を収容したパウチ本体１の開口部にスパウト２が一体に取着されたスパウト付きパウチ容器であって、前記スパウト２は、パウチ本体１への固着部６を有するとともに、中央部に流路を有するノズル部４と、該ノズル部４の先端に破断部分となる分割溝７を介して一体形成したキャップ部５を備え、前記キャップ部５に付加機能部分８として棒状部１６を設けたものである。尚、この棒状部１６の代表的な用途として、液体を掻き混ぜるマドラーが挙げられる。
【００４５】
前記棒状部１６は、前記キャップ部５をノズル部４から破断分離する前の状態（図５（ａ）参照）において、該ノズル部４の反対方向に延長してパウチ本体１の外部に位置させている。本実施形態では、前記キャップ部５は、その頭部に棒状の棒状部１６を一体的に延設したものであり、その先端にリング部１７を形成して図５（ｃ）に示すように掻き混ぜを容易にしている。本発明のスパウト付きパウチ容器の用途としては、例えばフレッシュ用容器であり、キャップ部５を分断してノズル部４からコーヒーカップに内容物を吐出した後、該キャップ部５を持って棒状部１６のリング部１７で掻き混ぜるのである。
【００４６】
図６は、第２発明の変形例を示し、前記棒状部１６は、前記キャップ部５をノズル部４から破断分離する前の状態（図６（ａ）、（ｃ）参照）において、該ノズル部４の吐出口１２を通してパウチ本体１の内部に位置させている。つまり、図６（ｃ）に示すように、前記キャップ部５に一体成形された棒状部１６は、前記吐出口１２となる部分、即ち分割溝７の内方からノズル部５内の流路１８を通してパウチ本体１の表裏シート３，３の間に進入した状態とする。また、前記棒状部１６の先端にリング部１７を形成した場合には、前記分割溝７からキャップ部５を分断して該リング部１７が流路１８を通って吐出口１２から引出せるような寸法設定にしている。この場合も、前記棒状部１６は、マドラーとして利用できる。その他の構成は、前記同様であるので、同一構成には同一符号を付してその説明は省略する。
【００４７】
第４発明のスパウト付きパウチ容器は、図７に示すように、可撓性フィルム又はシート３，３からなり、内容物を収容したパウチ本体１の開口部にスパウト２が一体に取着されたスパウト付きパウチ容器であって、前記スパウト２は、パウチ本体１への固着部６を有するとともに、中央部に流路を有するノズル部４と、該ノズル部４の先端に破断部分となる分割溝７を介して一体形成したキャップ部５を備え、前記ノズル部４に付加機能部分８として複数の櫛歯１９，…を列設するとともに、各櫛歯１９，１９の間の空間部に吐出口１２となる分割溝７を設けたものである。
【００４８】
本実施形態では、前記スパウト２のノズル部４は、図５（ａ）、（ｂ）に示すように、基部側から先端へ向けて７本の櫛歯１９，…を形成するとともに、隣接する各櫛歯１９，１９の間に基部側からパイプ２０をそれぞれ形成し、各パイプ２０の先端は分割溝７を介してキャップ部５から延びた軸部２１に連続し、分割溝７でキャップ部５を分断することによって前記パイプ２０の先端が吐出口１２になるのである。ここで、前記櫛歯１９，…は奇数設けられ、両端が長く、交互に長短が並んだ構造となっており、吐出口１２は各櫛歯１９，１９の間の若干基部側に位置している。従って、キャップ部５を分断した後、前記吐出口１２，…から例えばヘアカラー等の内容物を吐出しながら、前記櫛歯１９，…を頭髪に漉き込み、内容物を頭髪に満遍なく塗布するのである。
【００４９】
また、前記キャップ部５には、前記ノズル部４から破断分離した後に、１８０度反転させてノズル部４に嵌合した際に、各吐出口１２，…に嵌入して塞ぐ複数本のピン状の閉栓部１３，…を一体形成している。尚、前記キャップ部５には、前記櫛歯１９，…の先端部を収容できる収容空間２２を形成し、該収容空間２２の内部に前記ピン状の閉栓部１３，…を形成しているので、該キャップ部５をノズル部４に嵌着して吐出口１２を閉栓部１３で塞ぐことができるばかりでなく、使用後の内容物が付着した前記櫛歯１９，…の先端部を前記キャップ部５の収容空間２２内に収容できるので、不意に他物に内容物が付着することを防止できるのである（図７（ｃ）、（ｄ）参照）。
【００５０】
第５発明のスパウト付きパウチ容器は、図８に示すように、可撓性フィルム又はシート３，３からなり、内容物を収容したパウチ本体１の開口部にスパウト２が一体に取着されたスパウト付きパウチ容器であって、前記スパウト２は、パウチ本体１への固着部６を有するとともに、中央部に流路を有するノズル部４と、該ノズル部４の先端に破断部分となる分割溝７を介して一体形成したキャップ部５を備え、前記キャップ部５に付加機能部分８として洗浄容器２３を設けたものである。
【００５１】
具体的には、前記キャップ部５は、キャップ本体２４と該本体に嵌合する蓋２５とからなり、前記キャップ本体２４にはノズル部４の先端に外嵌する接続部２６と、該接続部２６に連通した液溜空間２７と、側面の嵌合部２８に前記蓋２５を嵌着して洗浄空間２９を形成するとともに、前記液溜空間２７に小孔３０にて連通する凹部３１とを有し、前記蓋は２５前記キャップ本体２４の嵌合部２８に密閉状態で着脱可能に嵌合するものであり、前記キャップ本体２４と蓋２５とで前記洗浄容器２３を形成するのである。
【００５２】
更に、前記キャップ部５のキャップ本体２４は、前記接続部２６と液溜空間２７を中心とした対称形であり、両側面に前記嵌合部２８，２８と凹部３１，３１と形成し、それぞれ前記蓋２５，２５を嵌着して一対の洗浄空間２９，２９を形成している（図８（ｄ）参照）。ここで、前記蓋２５は、軟質合成樹脂で成形することが望ましいが、前記キャップ本体２４と可撓性のある連結部を介して一体成形したヒンジキャップ構造とすることも可能である。
【００５３】
この洗浄容器２３を設けたスパウト付きパウチ容器はコンタクトレンズの洗浄用として使用できる。それには、先ず前記キャップ部５の蓋２５，２５を外してそれぞれの洗浄空間２９にコンタクトレンズを入れて蓋２５を閉じ、それから前記ノズル部４からキャップ部５を分割溝７で分断し（図８（ｂ）参照）する。あるいは、先に前記ノズル部４からキャップ部５を分割溝７で分断し、パウチ本体１を洗浄液が漏れないように保持した後、それから前記キャップ部５の蓋２５，２５を外してそれぞれの洗浄空間２９にコンタクトレンズを入れて蓋２５を閉じる。それから前記キャップ部５を１８０度反転させて接続部２６をノズル部４に密嵌し、パウチ本体１から洗浄液を液溜空間２７に吐出すると、洗浄液は小孔３０を通過して洗浄空間２９に注入され、コンタクトレンズが浸される。この状態で所定時間放置することでコンタクトレンズが洗浄される。尚、両蓋２５，２５を閉じた気密状態では、空気抜きをしなければ洗浄液を洗浄空間２９に注入するのが難しいことも想定されるが、その場合には一方の蓋２５を水平な面に静置し、上方の蓋２５を外した状態で、前記パウチ本体１から洗浄液を洗浄空間２９に注入し、上部の凹部３１が洗浄液で略満たされてから蓋２５を嵌着するようにする。
【産業上の利用可能性】
【００５４】
本発明に係るスパウト付きパウチ容器は、液状、ペースト状、ジェル状、ゾル状などの流動性を有する物品又は材料などの内容物の少量を、パウチ本体内に高充填率で充填、密封した製品に好適に適用することができる。
【００５５】
本発明に係るスパウト付きパウチ容器は、例えば、オーラルケア製品、トイレタリー製品、化粧品、食品、医薬品、工業製品、その他、流動性を有する収容物を比較的少量充填、密封した製品に好適に用いられる。前記オーラルケア製品としては、例えば、歯磨き、デンタルリンス、マウススプレー、ジェル歯磨き、歯垢チェック液などが挙げられる。前記トイレタリー製品としては、例えば、シャンプー、リンス、トリートメント、シェービングジェル、ハンドソープ、ハンドクリーム、ボディシャンプー、洗顔クリーム、整髪料、育毛剤、入浴剤、芳香剤、液体洗剤などが挙げられる。化粧品としては、例えば、化粧水、美白化粧品、マニキュア、液体ファンデーション、リップクリームなどが挙げられる。食品としては、例えば、調味料、ドレッシング、マヨネーズ、バター、ジャム、液状サプリメント、ゼリー、コーヒー用クリームなどが挙げられる。医薬品としては、例えば、軟膏クリーム、目薬、かゆみ止め剤などが挙げられる。工業製品としては、例えば、糊、接着剤、シーリング剤などが挙げられる。更に、その他、前記のような各種製品の詰め替え容器、試供品容器などとしても好適に用いられる。
【図面の簡単な説明】
【００５６】
【図１】第１発明のスパウト付きパウチ容器を示し、（ａ）は分解斜視図、（ｂ）は完成品の全体斜視図である。
【図２】同じくスパウト部分を示し、（ａ）はキャップ部を分断する前の状態の部分斜視図、（ｂ）はキャップ部を分断した状態の部分斜視図、（ｃ）はキャップ部をノズル部に嵌着して閉栓した状態の部分斜視図である。
【図３】第１発明の変形例を示し、（ａ）はキャップ部を分断する前の状態の斜視図、（ｂ）はキャップ部を分断した状態の斜視図である。
【図４】第２発明のスパウト付きパウチ容器を示し、（ａ）はキャップ部を分断する前の状態の部分斜視図、（ｂ）はキャップ部を分断した状態の部分斜視図、（ｃ）はキャップ部をノズル部に嵌着して閉栓した状態の部分斜視図である。
【図５】第３発明のスパウト付きパウチ容器を示し、（ａ）はキャップ部を分断する前の状態の部分斜視図、（ｂ）はキャップ部を分断した状態の部分斜視図、（ｃ）使用状態を示す斜視図である。
【図６】第３発明の変形例を示し、（ａ）はキャップ部を分断する前の状態の斜視図、（ｂ）はキャップ部を分断した状態の斜視図、（ｃ）は要部の断面図である。
【図７】第４発明のスパウト付きパウチ容器を示し、（ａ）はキャップ部を分断する前の状態の部分斜視図、（ｂ）はキャップ部を分断した状態の部分平面図、（ｃ）はキャップ部をノズル部に嵌着して閉栓した状態の部分斜視図、（ｄ）はキャップ部をノズル部に嵌着して閉栓した状態の部分断面図である。
【図８】第５発明のスパウト付きパウチ容器を示し、（ａ）はキャップ部を分断する前の状態の部分斜視図、（ｂ）はキャップ部を分断した状態の部分分解斜視図、（ｃ）はキャップ部をノズル部に嵌着して閉栓した状態の部分斜視図、（ｄ）はキャップ部をノズル部に嵌着して閉栓した状態の部分断面図である。
【符号の説明】
【００５７】
１  パウチ本体        ２  スパウト
３  シート            ４  ノズル部
５  キャップ部        ６  固着部
７  分割溝            ８  付加機能部分
９  フランジ片        １０  吊支手段
１１  フック          １２  吐出口
１３  閉栓部          １３Ａ  嵌合溝
１４  吊支孔          １５  ブラシ
１６  棒状部          １７  リング部
１８  流路            １９  櫛歯
２０  パイプ          ２１  軸部
２２  収容空間        ２３  洗浄容器
２４  キャップ本体    ２５  蓋
２６  接続部          ２７  液溜空間
２８  嵌合部          ２９  洗浄空間
３０  小孔            ３１  凹部
【図１】
2007084093.tif 000003
【図２】
2007084093.tif 000004
【図３】
2007084093.tif 000005
【図４】
2007084093.tif 000006
【図５】
2007084093.tif 000007
【図６】
2007084093.tif 000008
【図７】
2007084093.tif 000009
【図８】
2007084093.tif 000010